【手続補正書】
【提出日】平成16年11月8日(2004.11.8)
【手続補正１】
【補正対象書類名】明細書
【補正対象項目名】発明の名称
【補正方法】変更
【補正の内容】
【発明の名称】フィードフォワード増幅器、パイロットトーン発生器−受信器、及びパイロットトーンの発生及び受信方法
【手続補正２】
【補正対象書類名】明細書
【補正対象項目名】特許請求の範囲
【補正方法】変更
【補正の内容】
【特許請求の範囲】
【請求項１】
主増幅器及び誤差補正経路を有するフィードフォワード増幅器用のパイロットトーン発生器−受信器であって、該発生器−受信器は、前記主増幅器の前に注入するパイロットトーンを発生させるとともに、前記フィードフォワード増幅器の出力からパイロットトーンを検出し、前記発生器−受信器は、信号を生成する単一の発信器を含む、パイロットトーン発生器−受信器。
【請求項２】
前記発振器により生成された信号の周波数に中間周波数分の加算又は減算をし、前記主増幅器の前に注入するパイロットトーンを生成する周波数変調器と
前記発振器と前記誤差補正経路に接続され、前記フィードフォワード増幅器の出力での前記パイロットトーンのレベルを検出する受信器回路であって、該受信器回路は、前記誤差補正経路が前記パイロットトーン及び前記主増幅器によって導入されるあらゆる誤差を実質的に取り除くための補正信号を前記出力の前に導入できるように、前記誤差補正経路に接続されている、前記受信器回路と、
を更に備える、請求項１に記載のパイロットトーン発生器−受信器。
【請求項３】
前記発振器により生成された信号の周波数に中間周波数分の加算又は減算をし、周波数の変調された信号を生成する周波数変調器と
前記発振器と前記誤差補正経路に接続され、前記フィードフォワード増幅器の出力での前記パイロットトーンのレベルを検出する受信器回路であって、該受信器回路は、前記誤差補正経路が前記パイロットトーン及び前記主増幅器によって導入されるあらゆる誤差を実質的に取り除くための補正信号を前記出力の前に導入できるように、前記誤差補正経路に接続されている、前記受信器回路と、
を更に備える、請求項１に記載のパイロットトーン発生器−受信器。
【請求項４】
前記周波数変調器が、前記発信器に接続されたベクトル変調器を備える、請求項２あるいは請求項３に記載のパイロットトーン発生器−受信器。
【請求項５】
前記受信器回路が、
前記フィードフォワード増幅器の出力の一部を前記発振器により生成された前記信号と混合し、混合された信号を生成する混合器と、
前記混合器に接続され、前記混合された信号から中間周波数をフィルタ処理してフィルタ処理済信号を生成するフィルタと、
前記フィルタに接続され、前記フィルタ処理済信号を検出する検出器と、
を含む、請求項２に記載のパイロットトーン発生器−受信器。
【請求項６】
前記受信器回路が、
前記フィードフォワード増幅器の出力の一部を前記周波数の変調された信号と混合し、混合された信号を生成する混合器と、
前記混合器に接続され、前記混合された信号から中間周波数をフィルタ処理してフィルタ処理済信号を生成するフィルタと、
前記フィルタに接続され、前記フィルタ処理済信号を検出する検出器と、
を含む、請求項３に記載のパイロットトーン発生器−受信器。
【請求項７】
前記フィルタが、前記中間周波数を中心とする帯域通過フィルタを備える、請求項５あるいは請求項６に記載のパイロットトーン発生器−受信器。
【請求項８】
前記発振器に接続され、前記信号を所望のパラメータ内に保つ位相ロックループチップ及び基準信号チップを更に備える、請求項１乃至請求項７のいずれかに記載のパイロットトーン発生器−受信器。
【請求項９】
前記発振器により生成された前記信号の周波数をプログラムする手段を更に含む、請求項１乃至請求項８のいずれかに記載のパイロットトーン発生器−受信器。
【請求項１０】
前記発振器により生成された前記信号の周波数が約４５０キロヘルツである、請求項１乃至請求項９のいずれかに記載のパイロットトーン発生器−受信器。
【請求項１１】
前記発振器により生成された信号の位相をシフトして前記主増幅器の前にパイロットトーンを注入する位相シフト手段と、
前記発振器と前記誤差補正経路に接続され、前記フィードフォワード増幅器の出力での前記パイロットトーンのレベルを検出する受信器回路であって、該受信器回路は、前記誤差補正経路が前記パイロットトーン及び前記主増幅器によって導入されるあらゆる誤差を実質的に取り除くための補正信号を前記出力の前に導入できるように、前記誤差補正経路に接続されている、前記受信器回路と、
を更に備える、請求項１に記載のパイロットトーン発生器−受信器。
【請求項１２】
前記受信器回路が、前記フィードフォワード増幅器の出力でのパイロットトーンのレベルに対応するＤＣ電圧を生成するために、前記フィードフォワード増幅器の出力の一部を前記発振器により生成された信号と混合する混合器を備える、請求項１１に記載のパイロットトーン発生器−受信器。
【請求項１３】
前記発振器が、前記発振器により生成された前記信号の周波数をプログラムする手段を更に含む、請求項１２に記載のパイロットトーン発生器−受信器。
【請求項１４】
前記発振器により生成される信号は前記主増幅器の前に注入するためのパイロットトーンであり、前記発生器−受信器は、
前記発振器により生成された信号の位相をシフトして位相のシフトされた信号を生成する位相シフト手段と、
前記発振器と前記誤差補正経路に接続され、前記フィードフォワード増幅器の出力での前記パイロットトーンのレベルを検出する受信器回路であって、該受信器回路は、前記誤差補正経路が前記パイロットトーン及び前記主増幅器によって導入されるあらゆる誤差を実質的に取り除くための補正信号を前記出力の前に導入できるように、前記誤差補正経路に接続されている、前記受信器回路と、
を更に備える、請求項１に記載のパイロットトーン発生器−受信器。
【請求項１５】
前記受信器回路が、前記フィードフォワード増幅器の出力でのパイロットトーンのレベルに対応するＤＣ電圧を生成するために、前記フィードフォワード増幅器の出力の一部を前記位相シフトされた信号と混合する混合器を備える、請求項１４に記載のパイロットトーン発生器−受信器。
【請求項１６】
前記発振器が、前記発振器により生成された前記信号の周波数をプログラムする手段を更に含む、請求項１５に記載のパイロットトーン発生器−受信器。
【請求項１７】
増幅器部と、
前記増幅器部へのパイロットトーンの注入と、前記増幅器部の出力における前記パイロットの検出の双方を行うように動作することができ、発振器を１つだけ有するパイロットトーン発生器−受信器と、
を備える、フィードフォワード増幅器。
【請求項１８】
前記増幅器部は主増幅器と誤差補正経路から成り、前記発生器−受信器は、
前記発振器により生成された信号の周波数に中間周波数分の加算又は減算をし、前記主増幅器の前に注入するパイロットトーンを生成する周波数変調器と、
前記発振器と前記誤差補正経路に接続され、前記フィードフォワード増幅器の出力での前記パイロットトーンのレベルを検出する受信器回路であって、該受信器回路は、前記誤差補正経路が前記パイロットトーン及び前記主増幅器によって導入されるあらゆる誤差を実質的に取り除くための補正信号を前記出力の前に導入できるように、前記誤差補正経路に接続されている、前記受信器回路と、
を更に備える、請求項１７に記載のフィードフォワード増幅器。
【請求項１９】
前記増幅器部は主増幅器と誤差補正経路から成り、ここで、前記発振器により生成された信号は前記主増幅器の前に注入されるパイロットトーンであり、前記発生器−受信器は、
前記発振器により生成されたパイロットトーンの周波数に中間周波数分の加算又は減算をし、周波数の変調された信号を生成する周波数変調器と、
前記発振器と前記誤差補正経路に接続され、前記フィードフォワード増幅器の出力での前記パイロットトーンのレベルを検出する受信器回路であって、該受信器回路は、前記誤差補正経路が前記パイロットトーン及び前記主増幅器によって導入されるあらゆる誤差を実質的に取り除くための補正信号を前記出力の前に導入できるように、前記誤差補正経路に接続されている、前記受信器回路と、
を更に備える、請求項１７に記載のフィードフォワード増幅器。
【請求項２０】
主増幅器、誤差補正経路、及び出力経路を有するフィードフォワード増幅器用のパイロットトーンの生成及び受信方法であって、
発振信号を生成するステップと、
前記発振信号の周波数に中間周波数分の加算又は減算をし、前記主増幅器の前に注入するパイロットトーンを生成するステップと、
前記パイロットトーンを前記主増幅器の前に注入するステップと、
前記フィードフォワード増幅器の出力の一部を前記発振信号と混合して混合された信号を生成するステップと、
前記混合された信号から中間周波数をフィルタ処理してフィルタ処理済信号を生成するステップと、
前記フィルタ処理済信号のレベルを検出するステップと、
を含む、前記方法。
【請求項２１】
主増幅器、誤差補正経路、及び出力経路を有するフィードフォワード増幅器用のパイロットトーンの生成及び受信方法であって、
発振信号を生成するステップと、
前記発振信号の周波数に中間周波数分の加算又は減算をし、周波数の変調された信号を生成するステップと、
前記周波数の変調された信号を、パイロットトーンとして前記主増幅器の前に注入するステップと、
前記フィードフォワード増幅器の出力の一部を前記周波数の変調された混合して混合された信号を生成するステップと、
前記混合された信号から中間周波数をフィルタ処理してフィルタ処理済信号を生成するステップと、
前記フィルタ処理済信号のレベルを検出するステップと、
を含む、前記方法。
【請求項２２】
主増幅器、誤差補正経路、及び出力経路を有するフィードフォワード増幅器用のパイロットトーンの生成及び受信方法であって、
発振信号を生成するステップと、
前記発振信号の位相をシフトして、位相のシフトした信号を生成するステップと、
前記位相のシフトした信号を、パイロットトーンとして前記主増幅器の前に注入するステップと、
前記フィードフォワード増幅器の出力の一部を前記発振信号と混合して、前記フィードフォワード増幅器の出力でのパイロットトーンのレベルに対応するＤＣ電圧を生成するステップと、
を含む、前記方法。
【請求項２３】
主増幅器、誤差補正経路、及び出力経路を有するフィードフォワード増幅器用のパイロットトーンの生成及び受信方法であって、
発振信号を生成するステップと、
前記発振信号を、パイロットトーンとして前記主増幅器の前に注入するステップと、
前記発振信号の位相をシフトして、位相のシフトした信号を生成するステップと、
前記フィードフォワード増幅器の出力の一部を前記位相のシフトした信号と混合して、前記フィードフォワード増幅器の出力でのパイロットトーンのレベルに対応するＤＣ電圧を生成するステップと、
を含む、前記方法。